(57)【要約】【課題】  地紋が付加された画像に対しては地紋効果がなくなる画像処理を設定できない、設定された場合でも地紋効果を優先させることで、地紋パターンを保障する画像形成装置及びその制御方法を提供する。【解決手段】  複写により顕像化される地紋を示す地紋画像データを付加した画像データに基づき画像を形成する画像形成装置で、地紋画像データが付加されるか否かを判定し、地紋画像データが付加されると判定された場合に、付加される地紋画像データに影響する画像処理を制限する。例えば、濃度調整、色相調整、彩度調整、カラーバランス、あるいは更重複する地紋設定があれば、禁止又は警報で知らせる。【選択図】      図１４
2008028777.tif 000002
【特許請求の範囲】
【請求項１】
複写により顕像化される地紋を示す地紋画像データを付加した画像データに基づき画像を形成する画像形成装置であって、
地紋画像データが付加されるか否かを判定する判定手段と、
地紋画像データが付加されると判定された場合に、付加される地紋画像データに影響する画像処理を制限する制限手段とを有することを特徴とする画像形成装置。
【請求項２】
地紋画像データを付加する付加手段を更に有し、
前記判定手段は、前記付加手段の動作の有無を判定することを特徴とする請求項１に記載の画像形成装置。
【請求項３】
前記判定手段は、操作手段からの地紋付加の指示入力に従って地紋画像データを付加するか否かを判定することを特徴とする請求項１に記載の画像形成装置。
【請求項４】
前記判定手段は、外部装置からの画像データに含まれる地紋付加情報に従って地紋画像データを付加するか否かを判定することを特徴とする請求項１に記載の画像形成装置。
【請求項５】
前記外部装置からの画像データはＰＤＬデータを含むことを特徴とする請求項４に記載の画像形成装置。
【請求項６】
前記制限手段は、前記判定手段が地紋画像データが付加されると判定した場合に、付加される地紋画像データに影響する画像処理の設定を禁止する禁止手段を有することを特徴とする請求項１に記載の画像形成装置。
【請求項７】
前記制限手段は、付加される地紋画像データに影響する画像処理が設定された場合に、警告をする警告手段を含むことを特徴とする請求項１に記載の画像形成装置。
【請求項８】
前記付加される地紋画像データに影響する画像処理は、濃度調整、色相調整、彩度調整、カラーバランスの少なくとも１つを含むことを特徴とする請求項１乃至７のいずれか１つに記載の画像形成装置。
【請求項９】
前記付加される地紋画像データに影響する画像処理は、更に重複する地紋設定を含むことを特徴とする請求項８に記載の画像形成装置。
【請求項１０】
前記制限手段は、濃度調整の制限をガンマ補正手段の制限で行ない、色相及び彩度調整の制限を色相／彩度調整手段の制限で行ない、カラーバランスの制限を出力色補正手段の制限で行なうことを特徴とする請求項８に記載の画像形成装置。
【請求項１１】
前記地紋は、複写によって顕像化する領域の潜像画像と、前記潜像画像を除く領域の複写によって変化しない背景画像とを含むことを特徴とする請求項１乃至１０のいずれか１つに記載の画像形成装置。
【請求項１２】
複写により顕像化される地紋を示す地紋画像データを付加した画像データに基づき画像を形成する画像形成装置の制御方法であって、
地紋画像データが付加されるか否かを判定する判定工程と、
地紋画像データが付加されると判定された場合に、付加される地紋画像データに影響する画像処理を制限する制限工程とを有することを特徴とする画像形成装置の制御方法。
【請求項１３】
地紋画像データを付加する付加工程を更に有し、
前記判定工程では、前記付加工程での動作の有無を判定することを特徴とする請求項１２に記載の画像形成装置の制御方法。
【請求項１４】
前記判定工程では、操作手段からの地紋付加の指示入力に従って地紋画像データを付加するか否かを判定することを特徴とする請求項１２に記載の画像形成装置の制御方法。
【請求項１５】
前記判定工程では、外部装置からの画像データに含まれる地紋付加情報に従って地紋画像データを付加するか否かを判定することを特徴とする請求項１２に記載の画像形成装置の制御方法。
【請求項１６】
前記外部装置からの画像データはＰＤＬデータを含むことを特徴とする請求項１５に記載の画像形成装置の制御方法。
【請求項１７】
前記制限工程は、前記判定工程で地紋画像データが付加されると判定した場合に、付加される地紋画像データに影響する画像処理の設定を禁止する禁止工程を有することを特徴とする請求項１２に記載の画像形成装置の制御方法。
【請求項１８】
前記制限工程は、付加される地紋画像データに影響する画像処理が設定された場合に、警告をする警告工程を含むことを特徴とする請求項１２に記載の画像形成装置の制御方法。
【請求項１９】
前記付加される地紋画像データに影響する画像処理は、濃度調整、色相調整、彩度調整、カラーバランスの少なくとも１つを含むことを特徴とする請求項１２乃至１８のいずれか１つに記載の画像形成装置の制御方法。
【請求項２０】
前記付加される地紋画像データに影響する画像処理は、更に重複する地紋設定を含むことを特徴とする請求項１９に記載の画像形成装置の制御方法。
【請求項２１】
前記制限工程では、濃度調整の制限をガンマ補正手段の制限で行ない、色相及び彩度調整の制限を色相／彩度調整手段の制限で行ない、カラーバランスの制限を出力色補正手段の制限で行なうことを特徴とする請求項１９に記載の画像形成装置の制御方法。
【請求項２２】
前記地紋は、複写によって顕像化する領域の潜像画像と、前記潜像画像を除く領域の複写によって変化しない背景画像とを含むことを特徴とする請求項１２乃至２１のいずれか１つに記載の画像形成装置の制御方法。
【請求項２３】
請求項１２乃至２２のいずれか１つに記載の画像形成装置の制御方法を実現するコンピュータ実行可能なプログラム。
【請求項２４】
請求項２３に記載のプログラムをコンピュータ読み取り可能な形態で記憶する記憶媒体。
【発明の詳細な説明】
【技術分野】
【０００１】
本発明は画像形成装置に関するものである。詳しくは、スキャナ及びコンピュータから画像を入力する画像入力装置とプリンタなどの印刷装置を有する画像形成装置において、原本とコピーとを明確に区別するための地紋画像を含んだ画像をプリントする処理に関するものである。
【背景技術】
【０００２】
従来、帳票や住民票などの複写を禁止、或いは抑止する目的で、これらのコンテンツは偽造防止用紙と呼ばれる特殊な印刷を施した用紙に印刷されていた。この偽造防止用紙は、原本においては人間にとって見えにくいが、複写機などを用いて複写した場合には「禁複写」の文字などが浮び上がるような用紙である。これにより、複写する者にその複写物の使用などを躊躇させる効果を生じるものである。更には、このような帳票などは偽造防止用紙に印刷されているとして、複写そのものを抑止・牽制する効果をも生じさせるものである。
【０００３】
しかし、このような偽造防止用紙は、通常の用紙と比較してコストが高いという問題がある。また、偽造防止用紙の製作時に設定されている文字しか浮び上がらせることができず、その用紙の用途が限られるなど、用途に関して柔軟性に欠ける部分がある。
【０００４】
一方、様々なコンテンツのデジタル化が進む中、帳票や住民票などのコンテンツも同様にデジタル化されている。しかしながら、これら帳票や住民票そのもののデジタル化はまだ過渡期にあり、コンピュータを用いて作成したコンテンツを、プリンタなどを用いて紙に出力して利用することが多い。
【０００５】
こうした状況に応じて、従来は製版などにより予め作成していた偽造防止用紙をコンピュータとプリンタを用いて生成する技術が注目されている(特許文献１)。これは、コンピュータを用いて作られたコンテンツを印刷出力する際に、コンテンツのデータに加え、地紋と呼ばれる画像データを生成し、これらのデータを重ねて出力する技術である。地紋はときに複写牽制紋様と称されることもある。地紋画像は、原本（プリンタで出力した印刷物）において、人間の目には単なる模様や背景画像などに見えるが、複写すると所定の文字やイメージなどが顕像化するものである。そして、この原本は上記の偽造防止用紙と同様の牽制効果を与えることができる。これは、プリンタの性能の飛躍的な向上に起因することで可能となっている。
【０００６】
コンピュータを用いて作成した地紋画像をコンテンツデータに重ねて出力する場合、当然のことながら通常の印刷用の紙などを用いて出力できるため、予め作成した偽造防止用紙を用いる場合に比べてコストの面で利点がある。更に、コンテンツデータを印刷出力する際に地紋画像を生成することができるため、地紋画像の色などはもちろん、原本の複写時に顕像化させる文字等を自由に定めることが可能となる。あるいは、出力日時や印刷装置固有の情報などを地紋画像とすることができるという利点もある。
【０００７】
さて、地紋画像は、上述したように、原本を複写した場合、複写前には認識できなかった所定の文字などが顕在化し、その複写物を使用等することを抑止する効果を実現するものである。
【０００８】
この効果を実現すべく、生成される地紋画像は、基本的に、複写物にも原本と同様の画像が残る領域と複写物において原本には存在する画像が消えるか、あるいは上記の残る領域の画像に較べて薄くなる領域の２つの領域から構成される。この２つの領域から構成される地紋画像は、これを印刷出力した状態では上記２つの領域における濃度がほぼ同じ濃度とするのが好適である。つまり、印刷出力した地紋画像は、マクロ的には、複写物上において顕像化する文字などが隠されていることが人間の視覚上認識し難いように構成する必要がある。この地紋画像の印刷出力物においては隠されているが、当該印刷出力物を複写した複写物においては人間の視覚上認識可能に現れる画像領域を「潜像(あるいは潜像画像)」と呼ぶ。また、複写物によって消えるかあるいは複写物で顕像化した潜像の濃度に比べて低濃度の画像領域を「背景(あるいは背景画像)」と便宜的に呼ぶ。そして、地紋画像は、基本的にこの潜像画像と背景画像からなるものである。なお、ユーザインタフェース上の用語として潜像を前景と呼ぶ場合もある。
【０００９】
潜像画像は所定の領域内においてドットが集中するように構成される。対して背景部は所定の領域内においてドットが分散するように構成される。そして、この領域内におけるドットの濃度がほぼ同じになるよう構成することにより、地紋画像の印刷出力物において、潜像部と背景部の区別がつきにくくすることが可能となる。
【００１０】
図２５は、この２つの画像領域におけるドットの状態を示す図である。同図に示すように、所定の領域内にドットが分散して配置される背景部と、ドットが集中して配置される潜像部によって地紋画像が構成される。このふたつの領域におけるドットは、それぞれ異なる網点処理や異なるディザ処理により生成することができる。例えば、網点処理を用いて地紋画像を生成する場合、潜像部は低い線数での網点処理を行う。また、背景部は高い線数の網点処理を行うのが好適である。更に、ディザ処理を用いて地紋画像を生成する場合、潜像部はドット集中型ディザマトリクスを用いたディザ処理を行う。また、背景部はドット分散型ディザマトリクスを用いたディザ処理を行うのが好適である。
【００１１】
一般に複写機の読み取り部及び画像形成部には、原稿上の微小なドットを読み取る入力解像度や微小なドットを再現する出力解像度に依存した再現能力の限界レベルが存在する。地紋画像の背景部のドットが、複写機で再現できるドットの限界レベルより小さく形成され、かつ潜像部のドットが限界レベルより大きく形成されている場合、複写物上では潜像部のドットは再現でき、かつ背景部の小さなドットは再現されない。こうした特性を利用することで、地紋画像を複写した複写物上で、潜像が顕在化される。以後、複写物上で顕在化する画像を顕像と称する。なお、背景部が複写によって再現されたとしても、複写物上における潜像部が明らかに認識できるレベルであればドットが再現されない場合と同様の効果を得ることができる。
【００１２】
図２６の(ａ)及び(ｂ)は、この顕像化を示す図である。同図はドットを集中させた場合には複写物においても顕像し、ドットを分散させた場合には複写物において再現されないことを概念的に示すものである。
【００１３】
なお、地紋印刷は上記構成に限定されるものではなく、複写物において、文字列などが認識可能なレベルで再現できればよい。つまり、文字列などが背景部として指定され、複写時に白抜き文字のような状態で示されても地紋印刷としてはその目的を達成するものである。
【特許文献１】特開２００１−１９７２９７号公報
【発明の開示】
【発明が解決しようとする課題】
【００１４】
原稿画像に対して地紋画像を付加してプリントを行なうことで、自由度の高い地紋画像印刷が低コストで実現できるようになった一方で、画像に対して地紋画像が付加されることで、画像に処理される様々な画像処理が地紋画像に対しても実施されることになる。
【００１５】
すなわち、濃度処理や、色相調整及び彩度調整といった処理が行われることで、地紋部の濃度変動や、地紋部のＭ，Ｃ，Ｋの純色が保障出来なくなり、ファーストプリント時に地紋が浮き出て見えたり、孫コピー時に下地飛ばしで色が飛ばないため、画像が浮き出ない恐れがある。
【００１６】
例えば、地紋画像に対して濃度変更により出力濃度を高くした場合、地紋の潜像部、背景部の濃度が高くなる。背景部の所定の濃度の画素に対してのディザ処理では、ドットを分散配置することができる。しかし、高い濃度画素に対するディザ処理では、ドットが集中的に配置され、読み取り可能レベルを超えてしまう。このため、プリントされた画像を複写機の読み取り部で読み取った場合に、背景部が再現されてしまい、地紋効果が無くなってしまうことになる。
【００１７】
逆に濃度を低くした場合、低い濃度に対するディザ処理ではドット形状が離散化する。このため、潜像部のドットが離散化することで、読み取り時に画像が再現出来なくなったり、地紋プリント時に背景部の画素が出力されずファーストプリントから文字が浮き出た出力となる可能性がある。
【００１８】
また、地紋の背景部、潜像部の色成分は、Ｃ（シアン）、Ｍ（マゼンタ）、Ｋ（ブラック）の１次色だけで印字され、混色とならないように設定されなければならない。これは、ディザ処理として用いられる誤差拡散法は、２値化対象である画素の画素値とその画素値に配分された誤差の和を所定の閾値と比較し、ドットのＯＮ／ＯＦＦを決める方式であるためである。すなわち、低濃度領域の立ち上げりにおける黒ドットの生成や高濃度領域の立ち上がりにおける白ドットの生成において、誤差が大量に蓄積されて定常状態に落ち着くまでにドットの生成が大幅に遅延する。従って、ドットの生成の遅延や大量に蓄積された誤差が領域外部までに拡散される尾引きなどの問題が発生する。そのため、潜像部と背景部の境界が乱れ地紋画像が劣化する可能性がある。また、色相調整及び彩度調整といった処理が行われると、地紋濃度が保障できなくなる上、地紋部のＭ，Ｃ，Ｋの１次色が保障出来なくなり、地紋効果が無い画像が出力される可能性がある。
【００１９】
本発明は、上記従来の問題点に鑑み、地紋が付加された画像に対しては地紋効果がなくなる画像処理を設定できない、設定された場合でも地紋効果を優先させることで、地紋パターンを保障する画像形成装置及びその制御方法を提供する。
【課題を解決するための手段】
【００２０】
前記課題を解決するために、本発明の画像形成装置は、複写により顕像化される地紋を示す地紋画像データを付加した画像データに基づき画像を形成する画像形成装置であって、地紋画像データが付加されるか否かを判定する判定手段と、地紋画像データが付加されると判定された場合に、付加される地紋画像データに影響する画像処理を制限する制限手段とを有することを特徴とする。
【００２１】
ここで、地紋画像データを付加する付加手段を更に有し、前記判定手段は、前記付加手段の動作の有無を判定する。また、前記判定手段は、操作手段からの地紋付加の指示入力に従って地紋画像データを付加するか否かを判定する。また、前記判定手段は、外部装置からの画像データに含まれる地紋付加情報に従って地紋画像データを付加するか否かを判定する。また、前記外部装置からの画像データはＰＤＬデータを含む。また、前記制限手段は、前記判定手段が地紋画像データが付加されると判定した場合に、付加される地紋画像データに影響する画像処理の設定を禁止する禁止手段を有する。また、前記制限手段は、付加される地紋画像データに影響する画像処理が設定された場合に、警告をする警告手段を含む。また、前記付加される地紋画像データに影響する画像処理は、濃度調整、色相調整、彩度調整、カラーバランスの少なくとも１つを含む。また、前記付加される地紋画像データに影響する画像処理は、更に重複する地紋設定を含む。また、前記制限手段は、濃度調整の制限をガンマ補正手段の制限で行ない、色相及び彩度調整の制限を色相／彩度調整手段の制限で行ない、カラーバランスの制限を出力色補正手段の制限で行なう。また、前記地紋は、複写によって顕像化する領域の潜像画像と、前記潜像画像を除く領域の複写によって変化しない背景画像とを含む。
【００２２】
また、本発明の画像形成装置の制御方法は、複写により顕像化される地紋を示す地紋画像データを付加した画像データに基づき画像を形成する画像形成装置の制御方法であって、地紋画像データが付加されるか否かを判定する判定工程と、地紋画像データが付加されると判定された場合に、付加される地紋画像データに影響する画像処理を制限する制限工程とを有することを特徴とする。
【００２３】
更に、上記画像形成装置の制御方法を実現するコンピュータ実行可能なプログラム、及び該プログラムをコンピュータ読み取り可能な形態で記憶する記憶媒体を提供する。
【発明の効果】
【００２４】
本発明によれば、地紋が付加された画像に対しては、地紋効果がなくなる画像処理を設定できない、あるいは設定された場合でも地紋効果を優先させることで、地紋パターンを保障することが可能となる。
【発明を実施するための最良の形態】
【００２５】
以下、図面を参照して本発明の実施形態を詳細に説明する。
【００２６】
なお、以下に記載する実施形態においては、地紋画像を有する印刷出力物を複写した複写物上で顕像化する領域を潜像部または前景部と称する。また、複写物上で消失または複写物上における潜像部の濃度に比較して低濃度となる領域を背景部と称する。そして、潜像部としてテキスト情報やイメージ情報を入力し、複写物上において、これらのテキスト情報やイメージ情報が背景部よりも高濃度で認識可能に再現するものとして説明を行う。
【００２７】
しかしながら、本発明における地紋画像はこれに限られるものではない。例えば、テキスト情報またはイメージ情報を背景部として設定し、かつ、背景部の周囲の領域を潜像部として設定することで、複写物上において、テキスト情報やイメージ情報が白抜きのように表現される形態であってもよい。
【００２８】
また、本発明は地紋画像の種類やその生成処理、色、形状、サイズなどによって規定されるものではない。
【００２９】
＜地紋画像の概略説明＞
図２４により、地紋画像を生成する方法の概略を説明する。
【００３０】
２５０１は記号をビットマップとして展開した例を示す。また、２５０２、２５０３、２５０４に示すような地紋画像の前景と背景とカモフラージュに使用するパターンをそれぞれ保持し、任意の大きさに展開する。
【００３１】
２５１０は地紋の前景画像生成を示している。２５１１は保存されている前景パターンを所定の数だけ繰り返して展開したものである。２５１２は指定されたフォントを展開したものである。前景パターン２５１１の画像サイズと合わせるために白画像を周囲に付加している。前景パターン２５１１とフォント２５１２の画像を生成後、双方の画像を合成して前景画像２５１３を生成する。このときフォント２５１２の文字（記号）の部分にだけ前景パターン２５１１が残るように合成処理をおこなう。
【００３２】
２５２０は地紋の後景画像生成を示している。２５２１は保存されている後景パターンを所定の数だけ繰り返してメモリ上に展開したものである。２５２２は指定されたフォントを展開したものである。後景パターン２５２１の画像サイズと合わせるために白画像を周囲に付加している。後景パターン２５２１とフォント２５２２の画像を生成後、双方の画像を合成して背景画像２５２３を生成する。このときフォント２５２２の文字以外の部分だけ後景パターン２５２１が残るように合成処理を行う。
【００３３】
２５３０はカモフラージュ画像であり、カモフラージュパターン２５０４を展開した画像である。この画像は操作部からの指示により生成しない場合もある。
【００３４】
前景画像生成２５１０と背景画像生成２５２０の画像生成処理終了後、前景画像２５１３と背景画像２５２３を単純に合成し、画像２５５０を生成する。カモフラージュ画像２５３０の生成の指示があった場合は、画像２５５０にさらに合成処理を行い画像２５６０を生成する。このとき、カモフラージュ画像２５３０が白抜きされるように合成を行う。この画像２５６０が地紋画像となる。
【００３５】
この地紋画像２５６０を指定された色へ変換した後、原稿画像２５４０と合成し、地紋付き画像２５７０を生成する。その後、プリンタ画像処理でプリント処理された後、プリンタで出力される。
【００３６】
図２５及び図２６には、集中したドットの前景部パターンと分散したドットの背景パターンの例、その前景部パターンの顕像化の例が示されている。
【００３７】
また、図２７には、地紋印字画像において、カモフラージュパターンとして扇が選択されている例が示されている。
【００３８】
また、図２８は、浮き出し/白抜きを説明する図である。浮き出しの設定の場合は、複写物上において文字など地紋情報の部分が顕像化するような地紋画像を生成する。このとき、文字などが浮き出した状態で、複写物上で認識可能となる。一方、白抜きの設定の場合は複写物上において地紋情報以外の部分が顕像化するような地紋画像を生成する。このとき、文字などは白抜きされた状態で複写物上で認識可能となる。
【００３９】
本実施形態の画像形成処理では、地紋が設定されている場合には、濃度調整、色相/彩度調整、カラーバランスなどの地紋に影響を与える画像処理や、重複する地紋設定を制限する。
【００４０】
＜本実施形態の画像処理システムの構成例＞
図１は、本実施形態の画像処理システムの全体の構成を説明するブロック図である。
【００４１】
本画像処理システムを構成する画像形成装置２００は、画像入力デバイスであるスキャナ部１２０１、画像出力デバイスであるプリンタ部１２０２、Controller_Unit１２０３、ユーザインターフェースである操作部１２０４から構成される。スキャナ部１２０１、プリンタ部１２０２、操作部１２０４は、それぞれController_Unit１２０３に接続され、Controller_Unit１２０３は、ＬＡＮ １２０５などのネットワークＧ３、Ｇ４ファックスによる送信が可能である。
【００４２】
また、ＬＡＮ１２０５には、画像形成装置２００と同様の機器構成をもつ他の画像形成装置２２０、２３０が接続されえている。また、パーソナルコンピュータ（以下ＰＣ）２４０が接続されていて、FTP,SMBプロトコルを使用したファイルの送受信、電子メールの送受信や、ＰＣで作成した画像をプリントすることができる。画像形成装置２２０、２３０は、それぞれスキャナ部１２０６、１２１０、プリンタ部１２０７、１２１１、操作部１２０９、１２１３を持ち、それらがController_Unit１２０８、１２１２に接続されている。
【００４３】
＜本実施形態の画像形成装置の構成例＞
図２は、本実施形態の画像形成装置の構成を示す斜視図である。
【００４４】
画像入力デバイスであるスキャナ部１２０１は、原稿となる紙上の画像を照明し、ＣＣＤラインセンサ(図示せず)を走査することで、ラスターイメージデータとして電気信号に変換する。原稿用紙を原稿フィーダ１６０１のトレイ１６０２にセットし、装置使用者が操作部１２０４から読み取り起動の指示する。この指示により、コントローラＣＰＵ１３０１がスキャナ１２０１に指示を与え、フィーダ１６０１のトレイ１６０２から原稿用紙を１枚ずつフィードし原稿画像の読み取り動作を行う。
【００４５】
画像出力デバイスであるプリンタ部１２０２は、ラスターイメージデータを用紙上の画像に変換する部分である。その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ１３０１からの指示によって開始する。プリンタ部１２０２には、異なる用紙サイズまたは異なる用紙向きを選択できるように複数の給紙段を持ち、それに対応した用紙カセット１６０３、１６０４、１６０５がある。また、排紙トレイ１６０６は印字し終わった用紙を受ける排紙トレイである。
【００４６】
（Controller_Unitの構成例）
図３は、本実施形態の画像形成装置のController_Unitの構成例を示すブロック図である。
【００４７】
Controller_Unit１２０３は、画像入力デバイスであるカラースキャナ１２０１や画像出力デバイスであるカラープリンタ１２０２と接続する。一方では、ＬＡＮ１２０５や公衆回線(WAN)１３５１接続することで、画像情報やデバイス情報の入出力を行う為のコントローラである。
【００４８】
ＣＰＵ１３０１は、システム全体を制御するコントローラである。ＲＡＭ１３０２は、ＣＰＵ１３０１が動作するためのシステムワークメモリであり、画像データを一時記憶するための画像メモリでもある。ＲＯＭ１３０３は、ブートＲＯＭであり、システムのブートプログラムが格納されている。ＨＤＤ１３０４は、ハードディスクドライブで、システムソフトウェア、画像データを格納する。
【００４９】
操作部I/F１３０５は、操作部(UI)１２０４とのインターフェース部で、操作部１２０４に表示する画像データを操作部１２０４に対して出力する。また、操作部１２０４から本システム使用者が入力した情報を、ＣＰＵ１３０１に伝える役割をする。Network１３０７はＬＡＮ１２０５に接続し、情報の入出力を行う。
【００５０】
Modem１３５０は、公衆回線１３５１に接続し、画像情報の入出力を行う。２値画像回転１３５２及び２値画像圧縮・伸張１３５３は、Modem１３５０で２値画像を送信する前に画像の方向を変換したり、所定の解像度、あるいは相手能力に合わせた解像度に変換するためのものである。圧縮、伸張は、JBIG、MMR、MR、MH をサポートしている。DMAC１３０９は、DMAコントローラであり、ＲＡＭ１３０２に格納されている画像をＣＰＵ１３０１を介することなく読み取りImageBusI/F１３１１に対して画像転送する。もしくは、画像バスからの画像をＣＰＵ１３０１を介することなくＲＡＭ１３０２に書き込む。以上のデバイスがシステムバス１３０８に接続される。
【００５１】
ImageBus１３１１は、画像バス１３１０を介して高速な画像の入出力を制御するためのインターフェースである。圧縮器１３１２は、画像バス１３１０に画像を送出する前に３２画素x３２画素の単位でJPEG圧縮するための圧縮器である。伸張器１３１３は画像バス１３１０を介して送られた画像を伸張するための伸張器である。ラスターイメージプロセッサ(ＲＩＰ)１３１８は、ホストコンピュータからのＰＤＬコードをNetwork１３０７を介して受け取り、システムバス１３０８を通して、ＣＰＵ１３０１がＲＡＭ１３０２に格納する。
【００５２】
ＣＰＵ１３０１は、ＰＤＬを中間コードに変換し、再度システムバス１３０８を介してＲＩＰ１３１８に入力し、ビットマップイメージ（多値）に展開する。スキャナ画像処理１３１４は、スキャナ１２０１からのカラー画像、白黒画像に対して、適切な各種画像処理（たとえば補正、加工、編集）を行い出力する（多値）。同様にプリンタ画像処理１３１６は、プリンタ１２０２に対して適切な各種画像処理（たとえば補正、加工、編集）を行うプリント時は伸張１３１３で２値多値変換を行うので、２値、及び多値出力が可能である。
【００５３】
画像変換部１３３０はＲＡＭ上にある画像を画像変換し、再度、ＲＡＭ１３３０に描き戻すときに使われる各種画像変換機能を有する。回転器１３１９は、３２画素ｘ３２画素単位の画像を指定された角度で回転でき、２値、及び多値の入出力に対応している。変倍器１３２０は、画像の解像度を変換（たとえば６００dpiから２００dpi）したり、変倍したりする機能（たとえば２５%から４００%まで）を有する。変倍する前には３２x３２画素の画像を３２ライン単位の画像に並び替える。色空間変換１３２１は、多値入力された画像をマトリクス演算、及びLUTにより、たとえばメモリ上にあるＹＵＶ画像をＬａｂ画像に変換し、メモリ上に格納する。また、この色空間変換は３x８のマトリクス演算及び、１次元ＬＵＴをもち、公知の下地とばしや裏写り防止を行うことができる。変換された画像は多値で出力される。２値多値変換１３２２は、１bit、２値画像を多値８bit、２５６階調にする。逆に多値２値変換１３２５は、たとえばメモリ上にある８bit、２５６階調の画像を誤差拡散処理などの手法により１bit、２階調に変換し、メモリ上に格納する。
【００５４】
合成１３２３は、メモリ上の２枚の多値画像画像（もしくは二値画像）を合成し、１枚の多値画像（もしくは二値画像）にする機能を有する。たとえば、メモリ上にある会社ロゴの画像と原稿画像を合成することで、原稿画像に簡単に会社ロゴをつけることができる。合成の手法は画素毎に平均する、輝度レベルで明るい方の画素の値を合成後の画素の値とする、暗い方を合成後の画素とする、ビット毎に論理和演算、論理積演算、排他的論理和演算を施すなど、公知の手法を用いるものとする。間引き１３２４は、多値画像の画素を間引くことで、解像度変換を行うユニットであり１/２,１/４,１/８の多値画像を出力可能である。変倍１３２０と合わせて使うことで、より広範囲な拡大、縮小を行うことができる。移動１３２５は、入力された２値画像、多値画像に余白部分をつけたり、余白部分を削除したりして出力することができる。回転１３１９、変倍１３２０、色空間変換１３２１、２値多値１３２２、合成１３２３、間引き１３２４、移動１３２５、多値２値１３２６は、それぞれ連結して動作することが可能である。たとえば、メモリ上の多値画像を画像回転、解像度変換する場合は、両処理についてメモリを介さずに連結して行うことができる。
【００５５】
（スキャナ画像処理１３１４の構成例）
図４に、本実施形態のスキャナ画像処理１３１４の詳細な構成例を示す。
【００５６】
スキャナ１２０１から入力されたＲＧＢ各８bitの輝度信号は、マスキング１４０１によりＣＣＤのフィルタ色に依存しない標準的なＲＧＢ色信号に変換される。フィルタ１４０２では、たとえば９x９のマトリクスを使用し、画像をぼかし、メリハリをつける処理が行われる。ヒストグラム１４０３は、入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。ガンマ１４０４では、画像全体の濃度を濃くあるいは薄くするように処理が行われる。たとえば入力画像の色空間を任意の色空間に変換し、入力系の色味に関する補正処理を行う部分である。
【００５７】
原稿がカラーか白黒かを判断するために、変倍前の画像信号を色空間変換１４０５によって公知のＬａｂに変換する。このうちa,bは色信号成分を表しており、比較器１４０６内の所定のレベル以上であれば有彩色、そうでなければ無彩色として１bitの判定信号を比較器１４０６から出力する。カウンタ１４０７は、比較器からの出力を計測する。
【００５８】
文字／写真判定１４０８は、画像から文字エッジを抽出し、画像を文字と写真に分離する機能である。出力として、文字写真判定信号が得られる。この信号も画像とともにメモリやＨＤに格納され、印刷時に使用される。
【００５９】
特定原稿判定器１４０９は、入力画像信号と判定器内部で持つパターンとがどの程度一致するかを比較し、一致、不一致という判定結果を読み出すことが可能である。判定結果に応じて、画像を加工し、紙幣や有価証券などの偽造を防止する。
【００６０】
（プリンタ画像処理１３１６の構成例）
図５に、本実施形態のプリンタ画像処理１３１６の詳細な構成例を示す。
【００６１】
色相／彩度調整１５００は、画像に対して色相、彩度の調整を行う。下地とばし１５０１は、画像データの地色を飛ばし、不要な下地のカブリ除去を行う。例えば、３×８のマトリクス演算や、１次元ＬＵＴにより下地飛ばしを行う。モノクロ生成１５０２は、カラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。出力色補正１５０３は、画像データを出力するプリンタ部の特性に合わせて色補正を行う出力色補正部である。例えば、４×８のマトリクス演算や、ダイレクトマッピングによる処理から構成される。
【００６２】
フィルタ処理１５０４は、画像データの空間周波数を任意に補正するフィルタ処理部であり、例えば９×９のマトリクス演算を行う処理から構成される。ガンマ補正１５０５は、出力するプリンタ部の特性に合わせて、ガンマ補正を行う処理であり、通常１次元のＬＵＴから構成される。中間調補正１５０６は、出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ１５０７は、ＣＭＹＫの各色のドラムを持つカラープリンタにおいて、ＣＭＹＫの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００６３】
（操作部１２０４の構成例）
図６に、本実施形態の操作部１２０４の構成例を示す。
【００６４】
ＬＣＤ表示部１７０１は、ＬＣＤ上にタッチパネルシート１７０２が貼られており、システムの操作画面及びソフトキーを表示するとともに、表示してあるキーが押されるとその位置情報をコントローラＣＰＵ１３０１に伝える。スタートキー１７０４は原稿画像の読み取り動作を開始する時などに用いる。スタートキー１７０３中央部には、緑と赤の２色LED１７０４があり、その色によってスタートキー１７０３が使える状態にあるかどうかを示す。ストップキー１７０５は稼働中の動作を止める働きをする。IDキー１７０６は、使用者のユーザIDを入力する時に用いる。リセットキー１７０７は操作部からの設定を初期化する時に用いる。
【００６５】
＜本実施形態の画像形成装置における地紋設定動作例＞
以下、本実施形態の画像形成装置におけるコピー画像に対する地紋設定の例を説明する。
【００６６】
（地紋設定操作画面及び動作手順例）
図７に、操作部１２０４に表示されたコピー画面を示す。
【００６７】
２６０１は、画像形成装置の状態を示すもので、コピーできる状態が否かを示しており、同時に設定したコピー部数も表示される。２６０２は、画像に対する下地除去を自動的にするかしないかを選択するためのボタンである。２６０３は、９段階で濃度調整が可能なスライダである。２６０４は、原稿のタイプを選択するところで、文字・写真・地図、文字、印画紙写真、印刷写真が選択できる。２６０５は応用モードボタンであり、縮小レイアウト、地紋と言った各種モード設定が設定できる。２６０６は各種フィニッシングにかかわる設定を行うボタンであり、シフトソート、ステープルソート、グループソートが設定できる。２６０７は両面読み込み、及び、両面印刷にかかわる設定を行うボタンである。
【００６８】
次に、応用モード２６０５による地紋設定を行う方法を説明する。
【００６９】
図８、図９、図１０、図１１、図１２、図１３は、地紋画像印刷に関する設定をおこなう表示画面である。また、図１４は、地紋画像印刷に関する設定のフローチャートである。
【００７０】
図８に応用モードボタン２６０５を押下したときの画面を示す。
【００７１】
前述したとおり、応用モードボタンを押下すると、モード設定を行うボタンが表示される。すなわち、地紋１８０１、単色カラー１８０２、鏡像１８０３、色相/彩度調整１８０４、カラーバランス（ＣＭＹＫの各色微調整）１８０５、ネガポジ反転１８０６、縮小レイアウト１８０７等といったボタンが表示される。
【００７２】
地紋設定する場合には、地紋ボタン１８０１を押下することで設定を行う（Ｓ２４０１）。地紋のパターンに対して、他の画像処理たとえば、上記ガンマ補正１５０５や色相/彩度調整１５００が処理されると、プリント時に潜像画像が見え易くなったり、孫コピー時に地紋が顕在化しなくなる可能性がある。そのため、地紋が設定された場合は、これらの処理が行われないようにする必要がある。そのため、まず地紋と組み合わせ禁止となる濃度調整２６０３、色相/彩度調整１８０４、カラーバランス１８０５が設定されているかどうかのチェックを行う（Ｓ２４０２）。
【００７３】
地紋と組み合わせ禁止項目が設定されている場合は、アラーム表示することで地紋が設定できないことをユーザに促す（Ｓ２４０６）。組み合わせＯＫとなる場合は、地紋設定の画面に遷移する(Ｓ２４０３)。
【００７４】
図９に、押下地紋設定画面を示す。
【００７５】
ここでは、地紋として印字する情報として、スタンプ１９０１、日付１９０２、機体番号１９０３から選ぶことができる。本実施形態以外にも、例えば部数の番号やユーザのID番号などを選ばせてもよい。また、ここではいずれかひとつを選ぶこととしているが、複数の情報を印字することとしてもよい。
【００７６】
図１０に、スタンプ設定ボタン１９０１を押下したときの画面を示す。
【００７７】
ここではスタンプとして、極秘、コピー禁止、無効、CONFIDENTIAL、社外秘、コピーの６つの選択肢から地紋として印字するものを選ばせる。例えば、極秘２００１を選択する場合、ボタンを押下後、次へキー２００２を押下し、次の設定画面である図１２で示す画面へと遷移する。
【００７８】
図１１に、日付設定ボタン１９０２を押下したときの画面を示す。
【００７９】
ここでは日付の書式として、YY/MM/DD、MM/DD/YY、DD/MM/YY、YY年MM月DD日の４つの選択肢から地紋として印字するものを選ばせる。例えばYY/MM/DDを選択するならボタン２１０１を押下後、次へキー２１０２を押下し、次の設定画面である図１２で示す画面へと遷移する。
【００８０】
図９で機体番号設定ボタン１９０３を押下すると、次の設定画面である図１２で示す画面へと遷移する。地紋情報としては個々のプリンタそれぞれが持つ機体のシリアル番号が印字されることになる。
【００８１】
図１２に、すべての地紋情報に共通の項目を設定する画面を示す。
【００８２】
この画面では、地紋として印字するフォントのサイズ及び色を選択する(Ｓ２４０４)。フォントのサイズとしては、大、中、小から、色としては、ブラック、マゼンタ、シアン、ユーザ指定色、自動から選択することができる。ユーザ指定色を選択した場合は、ユーザに指定の色をＲＧＢ値などで入力を行なってもらう。また自動を選択した場合は、各地紋パターンに対して予め設定されていた色で地紋画像を生成する。フォントのサイズ、色それぞれを選択後、次へキー２２０３を押下し、次の設定画面である図１３で示す画面へと遷移する。
【００８３】
図１３に、共通設定項目の続きの画面を示す。
【００８４】
この画面では、地紋印字のカモフラージュパターンの選択と、浮き出し/白抜きの設定を行わせる。カモフラージュパターンとは、地紋画像を付加した印刷出力物において、地紋画像が付加されていることを人間の目に対して認識させづらくさせるためのものである。図１３に示されるように、カモフラージュパターンは、扇、桜など複数のパターンから選択可能である。また、カモフラージュパターンを使用しないという選択肢も提供されている。
【００８５】
前述の図２７で示されている地紋印字画像において、選択されているカモフラージュパターンは、扇である。
【００８６】
また、浮き出し/白抜きの設定とは、複写後の画像において、テキスト情報等の地紋情報の部分とそれ以外の部分のいずれが顕像化するのかを指定するものである。前述の図２８は、浮き出し/白抜きを説明する図である。
【００８７】
図１３の画面では、カモフラージュパターン及び浮き出し/白抜き、それぞれを選択後、２３０３のＯＫキーを押下し、地紋に関するすべての設定を確定する。
【００８８】
なお、地紋が先に設定されると、図７や図８で、組み合わせ禁止項目である濃度調整２６０３、色相/彩度調整１８０４、カラーバランス１８０５は、設定できないように網掛けになる。また、押下されるとアラームを表示させることで、ユーザに組み合わせ不可であることを促すようにしても良い（Ｓ２４０５）。
【００８９】
その後、原稿を原稿フィーダ１６０１のトレイ１６０２にセットし、装置使用者が操作部１２０４のスタートキー１７０３を押下すると、現行の読み込みを開始する。地紋設定されている場合は、画像に対して地紋処理を行い、プリンタ画像処理１３１６でプリント処理された後、プリンタ１２０２で用紙に出力される。
【００９０】
（画像形成装置における地紋設定処理例）
図２４に従い、画像形成装置における地紋画像を生成する例を詳細に説明する。
【００９１】
本画像形成装置は操作部１２０４より指定された文字や記号をＲＡＭ１３０２上にビットマップとして展開することが可能である。２５０１は記号をビットマップとしてＲＡＭ１３０２上に展開した例を示す。また、２５０２、２５０３、２５０４に示すような地紋画像の前景と背景とカモフラージュに使用するパターンをそれぞれＨＤＤ１３０４保持しており、ＲＡＭ１３０２上に任意の大きさに展開することが可能である。
【００９２】
２５１０は地紋の前景画像生成を示している。２５１１はＨＤＤ１３０４に保存されている前景パターンを所定の数だけ繰り返してＲＡＭ１３０２に展開したものである。２５１２は指定されたフォントをＲＡＭ１３０２に展開したものである。２５１１の画像サイズと合わせるために白画像を周囲に付加している。ＲＡＭ１３０２に２５１１と２５１２の画像を生成後、双方の画像を合成回路１３２３で合成して前景画像２５１３をＲＡＭ１３０２に生成する。このとき２５１２の文字の部分にだけ２５１１のパターンが残るように合成処理をおこなう。
【００９３】
２５２０は地紋の後景画像生成を示している。２５２１はＨＤＤ１３０４に保存されている後景パターンを所定の数だけ繰り返してメモリ上に展開したものである。２５２２は指定されたフォントをＲＡＭ１３０２に展開したものである。２５２１の画像サイズと合わせるために白画像を周囲に付加している。ＲＡＭ１３０２に２５２１と２５２２の画像を生成後、双方の画像を合成回路１３２３で合成して背景画像２５２３をＲＡＭ１３０２に生成する。このとき２５２２の文字以外の部分だけ２５２１のパターンが残るように合成処理を行う。
【００９４】
２５３０はカモフラージュ画像であり、カモフラージュパターン２５０４をＲＡＭ１３０２に展開した画像である。この画像は操作部からの指示により生成しない場合もある。２５１０と２５２０の画像生成処理終了後、前景画像２５１３と背景画像２５２３を合成回路２０２３で単純に合成し、２５５０に示すような画像をＲＡＭ１３０２に生成する。
【００９５】
２５３０のカモフラージュ画像生成の指示があった場合は画像２５５０にさらに合成処理を行い２５６０のような画像をＲＡＭ１３０２に生成する。このとき、カモフラージュ画像が白抜きされるように合成を行う。この画像２５６０が地紋画像となる。
この地紋画像２５６０を指定された色へ変換した後、原稿画像２５４０と合成し、２５７０に示すような地紋付き画像をＲＡＭ１３０２に生成する。その後、画像バス１３１０を介してプリンタ画像処理１３１６でプリント処理された後、プリンタ１２０２で出力される。
【００９６】
（画像形成装置における地紋設定時の画像処理制限／禁止例）
上記図１４のステップＳ２４０５において、地紋設定時の画像処理制限／禁止例を示した。すなわち、組み合わせ禁止項目である濃度調整２６０３、色相/彩度調整１８０４、カラーバランス１８０５は、設定できないように網掛けになる例や、押下されるとアラームを表示させる例である。一方、外部から受信した画像データに画像形成装置で地紋設定をした場合には、後述のように、画像データに設定された濃度調整、色相/彩度調整、カラーバランスを制限する場合もある。以下に、これらの濃度調整、色相/彩度調整、カラーバランスの制限／禁止について、その処理例を説明する。
【００９７】
濃度調整の制限／禁止は、図５のガンマ補正１５０５で実施される。すなわち、ガンマ補正１５０５は濃度調整をせずに画像データをスルーするデフォルトのガンマ補正値を記憶しており、地紋設定があって濃度調整の制限／禁止をする場合はこのデフォルトのガンマ補正値を使って処理を行なう。
【００９８】
また、色相/彩度調整の制限／禁止は、図５の色相/彩度調整１５００で実施される。色相/彩度調整１５００においても、色相/彩度調整をせずに画像データをスルーするデフォルトの色相/彩度調整値を記憶しており、地紋設定があって色相/彩度調整の制限／禁止をする場合はこのデフォルトの色相/彩度調整値を使って処理を行なう。
【００９９】
また、カラーバランスの制限／禁止は、図５の出力色補正１５０３で実施される。出力色補正１５０３は、ＲＧＢ色をＹＭＣＫ色に変換処理する。本例では、この出力色補正１５０３で、Ｒ＝０，Ｇ＝２５５，Ｂ＝２５５の入力をＹ＝０，Ｍ＝０，Ｃ＝２５５，Ｋ＝０の色に変換するような変換パラメータを準備し、地紋設定があってカラーバランスの制限／禁止をする場合はこの変換パラメータを使って処理を行なう。
【０１００】
地紋設定があって画像処理の制限／禁止を実施する場合には、プリンタ画像処理１３１６において上記のような処理が行われる。
【０１０１】
＜本実施形態のＰＣの構成例＞
図１７は、本実施形態のＰＣ２４０のハードウェア構成を示すブロック図である。
【０１０２】
同図において、ＰＣ２４０は、ＲＯＭ１０３のプログラム用ＲＯＭあるいは外部メモリ１１１に記憶された文書処理プログラム等に基づいて、文書処理及びそれに基づく印刷処理の実行を制御するＣＰＵ１０１を備えている。ここで、文書には、図形、イメージ、文字、表（表計算等を含む）等が混在する。このＣＰＵ１０１がシステムバス１０４に接続される各デバイスの制御を総括する。
【０１０３】
また、ＲＯＭ１０３のプログラム用ＲＯＭあるいは外部メモリ１１１には、ＣＰＵ１０１の制御プログラムであるオペレーティングシステムプログラム（以下ＯＳ）等が記憶されている。また、ＲＯＭ１０３のフォント用ＲＯＭあるいは外部メモリ１１１には、上記文書処理の際に使用するフォントデータ等が記憶されている。更に、ＲＯＭ１０３のデータ用ＲＯＭあるいは外部メモリ１１１には、上記文書処理等を行う際に使用する各種データが記憶されている。ＲＡＭ１０２は、ＣＰＵ１０１の主メモリ、ワークエリア等として機能する。
【０１０４】
キーボードコントローラ（ＫＢＣ）１０５は、キーボード１０９や不図示のポインティングデバイスからのキー入力を制御する。ＣＲＴコントローラ（ＣＲＴＣ）１０６は、地紋画像の表示を含む、ＣＲＴディスプレイ（ＣＲＴ）１１０による表示を制御する。１０７はディスクコントローラ（ＤＫＣ）を示し、ハードディスク（ＨＤ）、フロッピー(登録商標)ディスク（ＦＤ）等の外部メモリ１１１とのアクセスを制御する。外部メモリ１１１には、ブートプログラム、各種のアプリケーション、フォントデータ、ユーザファイル、編集ファイル、プリンタ制御コマンド生成プログラム（以下プリンタドライバ）等が記憶される。ネットワークインターフェイスコントローラ（ＮＩＣ）１０８は、ＬＡＮ１２０５を介して画像形成装置２００に接続され、通信制御処理を実行する。
【０１０５】
なお、ＣＰＵ１０１は、ＣＲＴ１１０上の不図示のマウスカーソル等で指示されたコマンドに基づいて、予め登録された種々のウィンドウを開き、種々のデータ処理を実行する。ユーザは印刷を実行する際、印刷の設定に関するウィンドウを開き、プリンタの設定や、印刷モードの選択を含むプリンタドライバに対する印刷処理方法の設定を行うことができる。
【０１０６】
図１８は、図１７に示したＰＣ２４０における印刷処理のためのソフトウェア構成を示す図である。
【０１０７】
アプリケーション２０１、グラフィックエンジン２０２、プリンタドライバ２０３、及びシステムスプーラ２０４は、外部メモリ１１１に保存されたファイルとして存在する。そして、これらは、ＯＳやそのモジュールを利用するモジュールによってＲＡＭ１０２にロードされて実行されるプログラムモジュールである。
【０１０８】
また、アプリケーション２０１及びプリンタドライバ２０３は、外部メモリ１１１のＦＤや不図示のＣＤ−ＲＯＭ、あるいはＬＡＮ１２０５を経由して外部メモリ１１１のＨＤに追加することが可能となっている。外部メモリ１１１に保存されているアプリケーション２０１はＲＡＭ１０２にロードされて実行される。そして、このアプリケーション２０１から画像形成装置２００に対して印刷を行う際には、同様にＲＡＭ１０２にロードされ実行可能となっているグラフィックエンジン２０２を利用して出力（描画）を行う。
【０１０９】
グラフィックエンジン２０２は、印刷装置ごとに用意されたプリンタドライバ２０３を外部メモリ１１１からＲＡＭ１０２にロードし、アプリケーション２０１の出力をプリンタドライバ２０３に設定する。また、グラフィックエンジン２０２はアプリケーション２０１から受け取るＧＤＩ（Graphic Device Interface）関数をＤＤＩ（Device Driver Interface）関数に変換して、プリンタドライバ２０３へ出力する。
【０１１０】
プリンタドライバ２０３は、グラフィックエンジン２０２から受け取ったＤＤＩ関数に基づいて、プリンタが認識可能な制御コマンド、例えばＰＤＬ（Page DescＲＩＰtion ＬＡＮguage）に変換する。変換されたプリンタ制御コマンドは、ＯＳによってＲＡＭ１０２にロードされたシステムスプーラ２０４を経てプリンタ１２０２へ印刷データとして出力される仕組みとなっている。
【０１１１】
本実施形態のソフトウェア構成においては、プリンタドライバ２０３内に地紋処理部２０５を有する。地紋処理部２０５はプリンタドライバ２０３のビルドインモジュールであってもよいし、個別のインストーレーションによって追加されるライブラリモジュールの形式であっても構わない。また、プリンタドライバ２０３は、地紋画像の印刷に関し、その地紋処理部２０５の実行により、後述の地紋画像の描画などの処理を行う。
【０１１２】
＜本実施形態のＰＣにおける地紋設定動作例＞
以下、図１９〜図２３を用いて、ＰＣ２４０において地紋付き画像を形成する方法を説明する。
【０１１３】
（地紋設定の画面例）
図１９は、プリンタドライバ２０３内に配された、地紋プリントに関するユーザインターフェースの初期画面の一例である。この例では、ダイアログ内のプロパティシート３０１において地紋プリントに関する設定が行えるようになっている。
【０１１４】
３０２は、印刷ジョブに対して地紋プリント(地紋画像を含む印刷、以下、同じ)を行うかどうかを指定するチェックボックスを示している。このチェックボックス３０２に指定された内容は、印刷データ（原稿データ）に関する印刷設定情報を保持する付加印刷情報として外部メモリ１１１に格納される。３０３は、地紋プリントの複数の設定情報を１つの識別子（スタイル）で指定可能にするためのスタイル情報を示す。プリンタドライバ２０３は、複数のスタイルを選択可能となっており、各スタイルと地紋プリントに関する所定の情報との関係がレジストリに登録される。また、ボタン３０４を押下することにより、図２０の(ａ)に示すスタイル編集用ダイアログ４０１が表示される。３０５は、地紋パターンを調整するためのキャリブレーションボタンである。プリント時に既に画像が浮き出て見えてしまっている場合には、キャリブレーションを行うことで、潜像部と背景部のパターンの調整を行うことができる。
【０１１５】
図２０の（ａ）は、地紋プリントの個々の詳細設定を編集するためのダイアログの一例を示す図である。
【０１１６】
同図において、４０１は地紋情報編集用ダイアログ全体を示し、同領域に後述する個々の地紋情報によって生成される地紋画像の結果がプレビューのため表示される。４０２は図１９の３０３で選択可能なスタイルの一覧を表示する領域を示す。また、ボタン４０３及び４０４を用いることで、スタイルは新規追加や削除が可能となっている。４０５は、現在指定されているスタイル名称が表示される領域を示す。
【０１１７】
４０６は、地紋プリントに用いる描画オブジェクトの種類を選択するラジオボタンである。４０６において、ユーザが「文字列」を選択するとテキストオブジェクトが使用可能となる。また、ユーザが「イメージ」を選択するとBMPなどに代表されるイメージデータが使用可能となる。
【０１１８】
図２０の（ａ）では、「文字列」が選択されているので、ダイアログ４０１には符号４０７から４０９などで示されるテキストオブジェクトに関する設定情報が表示され、編集可能となる。一方、領域４０６において「イメージ」が選択されている場合、情報４０７から４０９は表示されず、その代わりに図２０の（ｂ）に示すイメージファイル名称表示４１５及び不図示のファイル選択ダイアログを表示するためのボタン４１６が表示される。
【０１１９】
本実施の形態では、ＰＣ２４０で行う地紋プリントに用いる描画オブジェクトの種類を「文字列」と「イメージ」とし、いずれか一方を選択するように構成している。しかしながら、描画オブジェクトの種類はこれに限らない。また、複数種類の描画オブジェクトを同時に利用するように構成してもよい。
【０１２０】
４０７は、地紋画像として使用する文字列を表示、編集するための領域である。４０８は、文字列のフォント情報を表示、編集するための領域である。本実施形態では、フォント名称のみの選択画面としているが、書体のファミリー情報（ボールド、イタリックなど）や、飾り文字情報などが選択可能に拡張してもよい。４０９は、地紋パターンとして使用する文字列のフォントサイズを表示、設定する領域である。本実施形態では「大」「中」「小」の３段階で指定可能な形式を想定しているが、ポイント数の直接入力など、一般的に用いられるフォントサイズ指定方法を採用してもよい。
【０１２１】
４１０は、地紋パターンと原稿データの印刷順序を設定するためのラジオボタンである。このラジオボタンで「透かし印刷」が指定された場合は、地紋パターンを描画後、原稿データを描画する。一方、「重ね印刷」が指定された場合は原稿データを描画後、地紋パターンを描画する。描画の手順については後述する。
【０１２２】
４１１は、地紋パターンの配置角度を指定するラジオボタンである。本実施形態では、「右上がり」「右下がり」「横」の３通りの選択を可能としている。しかしながら、角度を任意に指定可能な数値入力領域や、直感的に指定可能なスライダーバーなどを配し、角度指定方法を拡張してもよい。
【０１２３】
４１２は、地紋パターン(前景パターン、背景パターン)に用いる色を表示、指定するための領域である。４１３は、前景パターン、背景パターンの入れ替えを行うためのチェックボックスである。チェックボックスがチェックされていない場合は、複写物上において前景パターンが顕像化するような地紋画像を生成する。つまり、前景パターンが複写物上で再現可能なように設定されていることを示すものである。一方、チェックボックス４１３がチェックされていない場合は複写物上において背景パターンが顕像化するような地紋画像を生成する。つまり、背景パターンが複写物上で再現可能なように設定されていることを示すものである。このとき、前景パターンに指定されたテキスト情報やイメージ情報は白抜きされた状態で複写物上で認識可能となる。
【０１２４】
４１４は、地紋画像を付加した印刷出力物において、地紋画像が付加されていることを人間の目に対して認識させづらくさせるためのカモフラージュ画像を指定するための領域である。カモフラージュ画像は複数のパターンから選択可能である。また、カモフラージュ画像を使用しないという選択肢も提供されている。
【０１２５】
（付加印刷情報の構成例）
次に、図２１を用いて、図２０において説明した地紋印刷の設定情報に関する付加印刷情報について説明する。なお、本実施形態において、以下に説明する付加印刷情報は、地紋情報編集用ダイアログからの指定に従いＲＡＭ１０２上に生成され、印刷を行う物理ページを構成する情報として外部メモリ１１１に保持されるジョブ出力用ファイルに格納される。この付加印刷情報の格納については、上記構成のほかに、種々の形態を採用することが可能である。
【０１２６】
同図において、フィールド５０１には、図２０の（ａ）の領域４０６で指定される、地紋プリントで描画するオブジェクト種（テキスト形式あるいはイメージ）を示す値が格納される。フィールド５０２には、図２０の（ａ）の領域４０７〜４０９、あるいは図２０の（ｂ）で指定される、フィールド５０１の情報で指定された描画オブジェクトに対する設定情報が格納される。テキスト選択時は文字列、フォント名、サイズ情報が、イメージ選択時は入力するイメージファイルのロケーションが格納される。
【０１２７】
フィールド５０３には、図２０の（ａ）の領域４１０で指定される、原稿データに対して地紋パターンを先に描画するか、後から描画するかといった、印刷順序を指定する情報が格納される。
【０１２８】
フィールド５０４には、図２０の（ａ）の領域４１１で指定される、描画オブジェクトを配置する角度情報が格納される。フィールド５０５には、図２０の（ａ）の領域４１２で指定される、地紋パターン（前景パターン、背景パターン）に使用される色情報が格納される。
【０１２９】
フィールド５０６には、図２０の（ａ）のチェックボックス４１３で指定される、前景パターン及び背景パターンに関する情報が格納される。フィールド５０７には、図２０の（ａ）の領域４１４で指定される、カモフラージュ画像のパターン付加情報が格納される。
【０１３０】
フィールド５０８には、前景パターンの濃度情報が格納される。また、フィールド５０９には、背景パターンの濃度情報が格納される。
【０１３１】
（地紋画像データの作成手順例）
図２２は、地紋プリントにおける画像データ生成処理の流れを示すフローチャートである。このフローチャートでは、図２０の(ａ)にて説明した「透かし印刷」に対応した画像データ生成処理の流れを示している。また、これらの処理は、一般的なプリンタドライバを用いた印刷処理において行われるものである。また、以下の処理は印刷処理を制御・実行するＣＰＵ１０１によって行われる。
【０１３２】
ここで「透かし印刷」、すなわち、原稿データの描画よりも先に地紋パターンを描画するケースについて、図２２のフローチャートを用いて説明する。
【０１３３】
ステップ６０１において、図２１に示す地紋パターン情報で示される地紋に関する情報に従い、ＣＰＵ１０１が地紋パターンの描画を行う。その詳細な処理については、図２３にて後述する。
【０１３４】
次に、原稿データの描画処理に移る。まず、ステップ６０２において、ＣＰＵ１０１は１物理ページ（印刷用紙の１面）あたりの論理ページ数をカウントするカウンタを初期化する。
【０１３５】
次にステップ６０３において、ＣＰＵ１０１は、カウンタが予め設定されている１物理ページあたりの論理ページ数になったかどうかを判定する。ここで判定結果が論理ページ数と等しくなければステップ６０４へ進む。
【０１３６】
次にステップ６０４において、ＣＰＵ１０１はカウンタを１増加させる。続いてステップ６０５において、ＣＰＵ１０１は１ページあたりの論理ページ数及びカウンタ値をもとに、これから描画する論理ページに対する有効印字領域を計算する。次に、ステップ４０６において、ＣＰＵ１０１は物理ページに関する印刷設定情報（不図示）から、カウンタ値をインデックスとして現在の論理ページ番号を読み取る。そして、ＣＰＵ１０１は該当論理ページを有効印字領域内に収まるように縮小描画する。もちろん、複数論理ページの割付印刷が指定されていない場合には縮小の必要はない。以上が、「透かし印刷」に関する描画処理の手順である。
【０１３７】
かかる図２２の処理で作成された地紋パターンのドットデータと１物理ページの描画データとが、ジョブヘッダに地紋付きを宣言する情報を含む印刷ジョブとしてＬＡＮ１２０５を介してＰＣ２４０から画像形成装置に送信されて、画像形成装置で出力される。なお、ＰＣ２４０からの印刷ジョブに対する画像形成装置の地紋処理については、図１５及び図１６に従って以下に説明する。
【０１３８】
図２３は、図２２に示したＳ６０１の地紋パターン描画処理の詳細を示すフローチャートである。以下、図２３を参照して、地紋パターン描画処理を説明する。
【０１３９】
初めにユーザインターフェース等を介して、ステップＳ７０１で地紋パターン描画処理が開始される。次に、ステップＳ７０２で、ＣＰＵ１０１は入力背景画像、背景閾値パターン、前景閾値パターン、前景背景領域指定画像、カモフラージュ領域指定画像など、地紋パターンの描画に必要な各種情報を取得する。更に、ステップＳ７０３で、ＣＰＵ１０１は地紋パターン画像を生成する際の初期画素を決定する。例えば、入力画像全体に対して左上から右下までラスター走査順に画像処理を行い地紋画像を配置する場合、左上の画素を初期画素とする。
【０１４０】
次にステップＳ７０４では、ＣＰＵ１は背景閾値パターン、前景閾値パターン、前景背景領域指定画像、カモフラージュ画像を入力背景画像の初期画素からタイル上に配置する。そして、処理対象となっている入力背景画像の画素に対して、ＣＰＵ１０１は以下の式（１）に基づく計算を実行する。計算の結果から、ＣＰＵ１０１は印刷時のドットに対応する画素値をメモリ領域に書き込むか否かを判定する。このときの画素値は入力された色情報に対応する。
なお、ここで、背景閾値パターン及び前景閾値パターンは、ドットの書き込み／非書き込みに対応する「１」と「０」からなるパターンデータである。これらのパターンデータは前景（潜像）及び背景画像を作成するのに適したそれぞれのディザマトリクスによってパターン化されたデータである。
【０１４１】
nWriteDotOn＝
nCamouflage×（nSmallDotOn×¬nHiddenMark＋nLargeDotOn×nHiddenMark）                                                          …式（１）
本式の構成要素の定義を以下に示す。
nComouflage：  カモフラージュ領域指定画像において、対象画素がカモフラージュ領域の画素であれば０、そうでなければ１。
nSmallDotOn：  背景閾値パターンの画素値が黒であれば１、白であれば０（色はこれに限定されない）。
nLargeDotOn：  前景閾値パターンの画素値が黒であれば１、白であれば０（色はこれに限定されない）。
nHiddenMark：  前景背景領域指定画像において、対象画素が潜像部に相当する画素であれば１、背景部に相当する画素であれば０。
nHiddenMark：  nHiddenMarkの否定。前景部で０、背景部で１となる。
【０１４２】
なお、各処理対象画素で式（１）の全ての要素を用いて計算する必要は無い。不必要な計算を省くことで処理の高速化を図ることができる。例えば、nHiddenMark＝１ならば¬nHiddenMark＝０、nHiddenMark＝０ならば¬nHiddenmark＝１となる。従って、nHiddenMark＝１ならば以下の式（２）の値をnLargeDotOnの値とし、nHiddenMark＝０ならば、式（２）の値をnSmallDotOnの値とするとよい。
【０１４３】
また、nCamouflageの値は式（１）に示したように、全体にかかる積算であるので、nCamouflage＝０であれば、nWriteDotOn＝０となる。従って、nCamouflage＝０の場合は以下の式（２）の計算を省略できる。
【０１４４】
（nSmallDotOn×¬nHiddenMark＋nLargeDotOn×nHiddenMark）  …式（２）
また、生成される地紋画像では、背景閾値パターン、前景閾値パターン、前景背景領域指定画像、カモフラージュ領域指定画像のそれぞれの縦横の長さの最小公倍数で構成される大きさの画像が繰り返しの最小単位となる。そのため、地紋パターン描画部では繰り返しの最小単位である地紋画像の一部分のみを生成し、その地紋画像の一部分を生成する画像の大きさとなるよう、タイル状に繰り返し並べる。これにより地紋画像生成にかかる処理時間を短縮できる。
【０１４５】
次に、ステップＳ７０５では、ステップＳ７０４の計算結果（nWriteDotOnの値）をＣＰＵ１０１が判定する。即ち、nWriteDotOn＝１ならばステップＳ７０６に進み、nWriteDotOn＝０ならばステップＳ７０７に進む。
【０１４６】
ステップＳ７０６では、ＣＰＵ１０１が印刷時のドットに対応する画素値を設定する処理を行う。ここで、画素値は、地紋画像の色によって変えることができる。黒色の地紋を作成したい場合、地紋画像の処理対象画素を黒に設定する。その他、プリンタのトナーあるいはインクの色に合わせ、シアン、マゼンダ、イエローに設定することにより、カラーの地紋画像を作成することもできる。
【０１４７】
更に、画像が１画素あたり１〜数ビットの画像データである場合には、インデックスカラーを用いて画素値を表現することができる。インデックスカラーとは、画像データの表現方法である。具体的には、対象とするカラー画像中に頻繁に出現する色情報を目次として設定し（例えばインデックス０は白、インデックス１はシアンなど）、各画素の値は色情報を記載した目次の番号で表現するものである（例えば、１番目の画素値はインデックス１の値、２番目の画素値はインデックス２の値、…と表現する。）
ステップＳ７０７では、ＣＰＵ１０１が処理対象領域の全画素が処理されたか否かを判定する。処理対象領域の全画素が処理されていない場合はステップＳ２７０８に進み、未処理の画素を選択し、再びステップＳ７０４〜７０６の処理を実行する。処理対象領域の全画素に対する処理が完了していれば、ステップＳ７０９に進む。
【０１４８】
以上の処理により、地紋画像を生成することができる。なお、これだけの処理では、前景背景領域指定画像における前景と背景の切り替わる部分にドットの固まりが生じ、前景の概形が目立つことよって、偽造防止地紋の効果が薄れるデメリットが生じる可能性がある。そこで、前景背景領域指定画像における前景と背景の切り替わり部分でドットの固まりが生じないようにする処理（バウンダリ処理）もあわせて施してもよい。
【０１４９】
図２２のステップＳ６０１の処理では、地紋画像が下地となるのでステップＳ７１０の透かし描画処理が実行される。ステップＳ７１０は、地紋画像の描画の後にアプリケーションソフトで作成した文字などを透かして（地紋画像の描画後に通常のデータを）描画する処理を行う。つまり、地紋画像の描画については何ら特殊な処理は行われない。
【０１５０】
一方、重ね処理の場合では、地紋パターンは既に描画済みの通常のデータを下地とした状態に対して描画することになるので、ステップＳ７１１の重ね描画処理が実行される。この場合は、アプリケーションソフトで作成した文字などの上に地紋パターンを重ねて描画することになるので、単純に地紋パターンを描画してしまうと下地が上書きされて見えなくなってしまう。そこで、ＡＮＤやＯＲといった論理描画を利用することで完全に上書きしてしまうことを避ける。例えば、下地の画素が白色（つまり画素値がゼロ）の場合、そのピクセルに対応する地紋パターンのピクセルを描画するといった論理描画を行う。そして、ステップＳ７１２に進み、地紋画像の描画を終了する。
【０１５１】
＜本実施形態の画像形成装置におけるＰＤＬデータの処理例＞
図１５に、ＰＣにより作成されたＰＤＬデータを受信した場合の画像形成装置の処理手順例を示す。
【０１５２】
（地紋設定の無いＰＤＬデータの処理例）
ＰＤＬデータ展開格納ジョブの場合は、ＰＣ２４０で作成された画像は、ＰＣの不図示のドライバ設定により、枚数、濃度、カラー/白黒、片面/両面等の設定を行い、ＬＡＮ１２０５経由でＰＤＬデータが転送・受信される（Ｓ２７０１）。
【０１５３】
ＰＤＬ＿ＪＯＢの要求を受けると、ＲＩＰ１３１８で画像のＲＩＰ処理が行われてメモリに展開された後(Ｓ２７０２)、メモリ上の画像（文字／写真判定信号を含めて）をＨＤＤ１３０４に格納する(Ｓ２７０３)。このとき画像の属性情報として、図示しないＳＲＡＭにカラー/白黒情報、枚数、濃度、片面/両面、画像入力元としてＰＤＬ画像、色空間ＣＭＹＫもしくはＲＧＢも格納する。
【０１５４】
ＰＤＬ画像をＨＤＤ１３０４に格納し終わった時点で、ＰＤＬプリントを投入したＰＣへこの情報が伝達される。
【０１５５】
このＰＤＬ画像に対して、画像形成装置側の操作部１２０４で予め地紋の設定をしておくことで、ＰＤＬデータに対して画像形成装置内で地紋画像を付加して出力することも可能である。そのため、ＰＤＬ画像出力に際して、画像形成装置内で地紋設定されているかどうかの判断処理を行う（Ｓ２７０４）。
【０１５６】
この判断処理で地紋が設定されていないと判断された場合には、ＨＤＤに格納された画像は、プリンタ画像処理１３１６でプリント処理された後、プリンタ１２０２で用紙に出力される（Ｓ２７０８）。地紋設定されていると判断された場合には、ＰＤＬ出力時のドライバ設定により地紋効果に影響を与えるモードとの組み合わせ禁止の項目が設定されていないかどうかを判断する必要がある。そのため、ＳＲＡＭに記憶されたＰＤＬの属性情報を参照し、たとえば濃度設定等がされているかどうかの判断を行う（Ｓ２７０５）。
【０１５７】
濃度設定がされていない場合には、画像形成装置内でＨＤＤ内のＰＤＬ画像を読み出して地紋処理を施し（Ｓ２７０７）、プリンタ画像処理１３１６でプリント処理された後、プリンタ１２０２で用紙に出力される。逆に、濃度設定されている場合は、セキュリティー情報である地紋を優先させる必要があるため、濃度データを地紋画像が影響しない値に変更し（Ｓ２７０６）、地紋処理を施して用紙に出力される。他の色相／彩度調整やカラーバランスにおいても同様である。かかる濃度データの変更などは、コピー処理で上述した方法で実現できるがこれに限定されない。
【０１５８】
（地紋設定の有るＰＤＬデータの処理例）
前述したように、画像形成装置内で地紋を付加する方法に加え、ＰＣ２４０のＰＤＬドライバ側で地紋を付加し、ＰＤＬデータを画像出力することもできる。この場合の画像形成装置の処理を以下に示す。
【０１５９】
ところで、画像形成装置内には、ボックス機能というものがあり、スキャン画像や、ＰＤＬ画像を画像形成装置内のＨＤＤに蓄積しておき、必要に応じて出力することができる機能がある。
【０１６０】
図１６は、ボックス機能の表示部画面である。
【０１６１】
図１６で、３４０１はＨＤＤを論理的に区分した各フォルダを示す。フォルダにはフォルダ番号があらかじめ割り振られており、３４０１は０番のフォルダになる。フォルダ番号の横にはフォルダで使用しているディスク容量の割合が表示されている。また、フォルダには任意の名前をつけることができ、名前もここに表示される。３４０２はＨＤＤ全体の使用量が表示される。出力する際に、出力する画像を選択し、プリントすることができるが、更にあらかじめ設定された枚数、濃度といった設定値を変更して出力することができる。
【０１６２】
このとき、ＰＤＬドライバ側で地紋が付加された画像がＢＯＸ内に蓄積されていた場合には、濃度変更といった地紋画像を劣化させる処理を行うと、地紋の効果がなくなる可能性がある。そのため、地紋画像が付加された画像に対して（図１５のＳ２７１０でＹｅｓ）、プリント時に濃度変更、色相彩度調整、カラーバランスといった処理が設定された場合（Ｓ２７１１でＹｅｓ）は、アラームを表示させ（Ｓ２７１２）、ユーザに設定できないことを促す。そして、地紋付加されたＰＤＬ画像を読み出し、プリンタ画像処理１３１６でプリント処理された（Ｓ２７１３）後、プリンタ１２０２で用紙に出力される。
【０１６３】
なお、画像に地紋画像が付加されているか否かは、上述のように印刷ジョブのジョブヘッダに設定された情報から判別が可能であり、本例では、地紋画像データはドットデータで、原稿データはＰＤＬデータで送信される場合を想定している。
【０１６４】
尚、本発明は、複数の機器（例えばホストコンピュータ、インタフェース機器、プリンタなど）から構成されるシステムあるいは統合装置に適用しても、ひとつの機器からなる装置に適用してもよい。
【０１６５】
又、本発明の目的は、前述した実施形態の機能を実現するソフトウェアのプログラムコードを記録した記憶媒体（または記録媒体）を、システムあるいは装置に供給する。そして、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。又、コンピュータが読み出したプログラムコードを実行することにより、前述した実施形態の機能が実現されるだけではない。そのプログラムコードの指示に基づき、コンピュータ上で稼働しているオペレーティングシステム（OS）などが実際の処理の一部または全部を行い、その処理によって前述した実施形態の機能が実現される場合も含まれることは言うまでもない。
【０１６６】
さらに、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるCPUなどが実際の処理の一部または全部を行う。このような処理によって前述した実施形態の機能が実現される場合も含まれることは言うまでもない。
【０１６７】
本発明を上記記憶媒体に適用する場合、その記憶媒体には、先に説明したフローチャートに対応するプログラムコードが格納されることになる。
【図面の簡単な説明】
【０１６８】
【図１】本実施形態の画像処理システムの全体構成例を示す図である。
【図２】本実施形態の画像形成装置の構成を示す外観斜視図である。
【図３】本実施形態のcontroller_Unitの構成例を示すブロック図である。
【図４】図３ののスキャナ画像処理の構成例を示すブロック図である。
【図５】図３のプリンタ画像処理の構成例を示すブロック図である。
【図６】図３の操作部の構成例を示す外観図である。
【図７】図３の操作部のコピー画面の例を示す図である。
【図８】図３の操作部の地紋の設定画面例を示す図である。
【図９】図３の操作部の地紋の設定画面例を示す図である。
【図１０】図３の操作部の地紋の設定画面例を示す図である。
【図１１】図３の操作部の地紋の設定画面例を示す図である。
【図１２】図３の操作部の地紋の設定画面例を示す図である。
【図１３】図３の操作部の地紋の設定画面例を示す図である。
【図１４】本実施形態の画像形成装置のコピー時の地紋付加処理手順例を示すフローチャートである。
【図１５】本実施形態の画像形成装置のＰＤＬ受信時の地紋付加処理手順例を示すフローチャートである。
【図１６】本実施形態の画像形成装置のＰＤＬ受信時の操作部の表示画面例を示す図である。
【図１７】本実施形態にＰＣの構成例を示すブロック図である。
【図１８】図１７のＰＣにおける印刷処理のためのソフトウエア構成例を示す図である。
【図１９】ＰＤＬドライバの地紋に関するユーザインターフェースの初期画面の一例を示す図である。
【図２０】ＰＤＬドライバの地紋で個々の詳細設定を編集するためのダイアログの一例を示す図である。
【図２１】地紋印刷の設定情報に関する付加印刷情報の構成を示す概念図である。
【図２２】ＰＣの透かし印刷における画像データ生成処理手順例を示すフローチャートである。
【図２３】図２２の地紋パターン描画処理Ｓ６０１の詳細手順例を示すフローチャートである。
【図２４】本実施形態の地紋画像の生成方法を説明する図である
【図２５】地紋画像におけるドットの状態を示す図である。
【図２６】複写時に地紋画像が顕像化する状態を示す図である。
【図２７】バウンダリ処理まで施した地紋画像の生成例を示す図である。
【図２８】地紋の浮き出し/白抜きを説明する図である。
【図１】
2008028777.tif 000003
【図２】
2008028777.tif 000004
【図３】
2008028777.tif 000005
【図４】
2008028777.tif 000006
【図５】
2008028777.tif 000007
【図６】
2008028777.tif 000008
【図７】
2008028777.tif 000009
【図８】
2008028777.tif 000010
【図９】
2008028777.tif 000011
【図１０】
2008028777.tif 000012
【図１１】
2008028777.tif 000013
【図１２】
2008028777.tif 000014
【図１３】
2008028777.tif 000015
【図１４】
2008028777.tif 000016
【図１５】
2008028777.tif 000017
【図１６】
2008028777.tif 000018
【図１７】
2008028777.tif 000019
【図１８】
2008028777.tif 000020
【図１９】
2008028777.tif 000021
【図２０】
2008028777.tif 000022
【図２１】
2008028777.tif 000023
【図２２】
2008028777.tif 000024
【図２３】
2008028777.tif 000025
【図２４】
2008028777.tif 000026
【図２５】
2008028777.tif 000027
【図２６】
2008028777.tif 000028
【図２７】
2008028777.tif 000029
【図２８】
2008028777.tif 000030